(57)【要約】【課題】カレンダー再生からアルバム再生への切り替えを容易にする。【解決手段】画像再生装置は、着脱メモリ９に月単位で記録されている、日単位で代表画像ファイルのリストが少なくとも記述されているカレンダー用制御ファイルに基づいてカレンダー上の日又は月領域単位に代表画像を表示させるカレンダー再生から、着脱メモリ９に記録されている、アルバム再生用の画像ファイルのリストが少なくとも記述されているアルバム用制御ファイルに基づいて行うアルバム再生への切り替えを、カレンダー用制御ファイルに記述されているアルバム用制御ファイルのリストと当該アルバム用制御ファイルとに基づいて行う。【選択図】図１
2006245832.tif 000002
【特許請求の範囲】
【請求項１】
記録媒体に第１の所定期間単位で記録されているカレンダー用制御ファイルであって前記第１の所定期間単位よりも短い第２の所定期間単位で代表画像ファイルのリストが少なくとも記述されている前記カレンダー用制御ファイルに基づいて、カレンダー上の所定期間領域単位に代表画像を表示させるカレンダー再生を行うカレンダー再生手段と、
前記記録媒体に記録されているアルバム用制御ファイルであってアルバム再生用の画像ファイルのリストが少なくとも記述されている前記アルバム用制御ファイルに基づいてアルバム再生を行うアルバム再生手段と、
を有し、
前記カレンダー再生から前記アルバム再生への切り替えを、前記カレンダー用制御ファイルに記述されているアルバム用制御ファイルのリストと当該アルバム用制御ファイルとに基づいて行う、
ことを特徴とする画像再生装置。
【請求項２】
アルバム再生用の画像ファイルのリストを記述したアルバム用制御ファイルを作成するアルバム用制御ファイル作成手段と、
前記アルバム用制御ファイル作成手段により作成されたアルバム用制御ファイルを前記記録媒体に記録する記録手段と、
前記記録手段により前記アルバム用制御ファイルが前記記録媒体に記録されたときに、当該アルバム用制御ファイルに記述されている画像ファイルのリストと同一のリストが代表画像ファイルのリストとして記述されているカレンダー用制御ファイルが前記記録媒体に記録されていた場合には、当該カレンダー用制御ファイルに前記アルバム用制御ファイルのリストを追記する第１のカレンダー用制御ファイル更新手段と、
を更に有することを特徴とする請求項１記載の画像再生装置。
【請求項３】
前記記録媒体に記録されているアルバム用制御ファイルにアルバム再生用の画像ファイルのリストを追記するアルバム用制御ファイル更新手段と、
前記アルバム用制御ファイル更新手段によりアルバム再生用の画像ファイルがアルバム用制御ファイルに追記されたときに、当該追記された画像ファイルのリストと同一のリストが代表画像ファイルのリストとして記述されているカレンダー用制御ファイルが前記記録媒体に記録されていた場合には、当該カレンダー用制御ファイルに前記アルバム用制御ファイルのリストを追記する第２のカレンダー用制御ファイル更新手段と、
を更に有することを特徴とする請求項１又は２記載の画像再生装置。
【請求項４】
前記カレンダー再生手段が、前記記録媒体に記録されているカレンダー用制御ファイルに基づいて、カレンダー上の第２の所定期間領域単位に代表画像を表示させる第１の所定期間のカレンダー再生を行っているときに、前記アルバム再生に切り替える場合には、前記第１の所定期間に係るカレンダー用制御ファイルに記述されているアルバム用制御ファイルのリストに基づいて選択されたアルバム用制御ファイルを読み出し、当該アルバム用制御ファイルに基づいてアルバム再生を行う、
ことを特徴とする請求項１乃至３の何れか一項記載の画像再生装置。
【請求項５】
前記カレンダー再生手段が、前記記録媒体に記録されているカレンダー用制御ファイルに基づいて、カレンダー上の第１の所定期間領域単位に代表画像を表示させる、前記第１の所定期間単位よりも長い期間となる第３の所定期間のカレンダー再生を行っているときに、前記アルバム再生に切り替える場合には、前記カレンダー上の代表画像が表示されている領域の第１の所定期間に係るカレンダー用制御ファイルに記述されているアルバム用制御ファイルのリストに基づいて選択されたアルバム用制御ファイルを読み出し、当該アルバム用制御ファイルに基づいてアルバム再生を行う、
ことを特徴とする請求項１乃至４の何れか一項記載の画像再生装置。
【発明の詳細な説明】
【技術分野】
【０００１】
本発明は、カレンダーを表示する際にカレンダー上の日又は月などの所定期間領域単位にその所定期間内に撮影された画像を表示するカレンダー再生機能と、ユーザがアルバムに登録したお気に入り画像のみを表示するアルバム再生機能とを備えた画像再生装置に関する。
【背景技術】
【０００２】
従来、カレンダー再生機能を備えた画像再生装置がある。例えば、特許文献１には、この画像再生装置として、カレンダーを表示する際にカレンダー上の日や月毎にその日やその月内に撮影された画像を表示するようにしたデジタルカメラが記載されている。また、特許文献２には、カレンダーを表示する際にカレンダー上の日毎にその日内に撮影された画像の中から選択された代表となる一つの画像を表示するようにしたデジタルスチルカメラが記載されている。
【０００３】
このようなカレンダー再生機能を備えた画像再生装置の中には、更にアルバム再生機能を備えた装置もある。
【特許文献１】特開平１１−２１５４５７号公報
【特許文献２】特開２００４−２６０７１０号公報
【発明の開示】
【発明が解決しようとする課題】
【０００４】
ところで、このカレンダー再生機能とアルバム再生機能とを備えた画像再生装置では、例えば、日単位に代表画像が表示された月のカレンダーが再生されているときに、その月のカレンダー上に表示されている代表画像が登録されているアルバムを再生しようとする場合には、一旦、カレンダー再生を終了させ、続いて、アルバム選択画面を表示させて、その中から所望のアルバムを選択する、といった一連の操作をユーザが行わなければならなかった。また、この場合には、そのアルバム選択画面において、その月のカレンダー上に表示されていた代表画像が登録されているアルバムを、ユーザが記憶を頼りに選択しなければならなかった。
【０００５】
本発明は、上記実情に鑑み、カレンダー上の所定期間領域単位に代表画像を表示するカレンダー再生から、その代表画像が登録されているアルバムを再生するアルバム再生への切り替えを容易にする画像再生装置を提供することを目的とする。
【課題を解決するための手段】
【０００６】
上記目的を達成するため、本発明の第１の態様に係る画像再生装置は、記録媒体に第１の所定期間単位で記録されているカレンダー用制御ファイルであって前記第１の所定期間単位よりも短い第２の所定期間単位で代表画像ファイルのリストが少なくとも記述されている前記カレンダー用制御ファイルに基づいて、カレンダー上の所定期間領域単位に代表画像を表示させるカレンダー再生を行うカレンダー再生手段と、前記記録媒体に記録されているアルバム用制御ファイルであってアルバム再生用の画像ファイルのリストが少なくとも記述されている前記アルバム用制御ファイルに基づいてアルバム再生を行うアルバム再生手段とを有し、前記カレンダー再生から前記アルバム再生への切り替えを、前記カレンダー用制御ファイルに記述されているアルバム用制御ファイルのリストと当該アルバム用制御ファイルとに基づいて行う。
【０００７】
また、本発明の第２の態様に係る画像再生装置は、上記第１の態様において、  アルバム再生用の画像ファイルのリストを記述したアルバム用制御ファイルを作成するアルバム用制御ファイル作成手段と、前記アルバム用制御ファイル作成手段により作成されたアルバム用制御ファイルを前記記録媒体に記録する記録手段と、前記記録手段により前記アルバム用制御ファイルが前記記録媒体に記録されたときに、当該アルバム用制御ファイルに記述されている画像ファイルのリストと同一のリストが代表画像ファイルのリストとして記述されているカレンダー用制御ファイルが前記記録媒体に記録されていた場合には、当該カレンダー用制御ファイルに前記アルバム用制御ファイルのリストを追記する第１のカレンダー用制御ファイル更新手段と、を更に有する。
【０００８】
また、本発明の第３の態様に係る画像再生装置は、上記第１又は２の態様において、前記記録媒体に記録されているアルバム用制御ファイルにアルバム再生用の画像ファイルのリストを追記するアルバム用制御ファイル更新手段と、前記アルバム用制御ファイル更新手段によりアルバム再生用の画像ファイルがアルバム用制御ファイルに追記されたときに、当該追記された画像ファイルのリストと同一のリストが代表画像ファイルのリストとして記述されているカレンダー用制御ファイルが前記記録媒体に記録されていた場合には、当該カレンダー用制御ファイルに前記アルバム用制御ファイルのリストを追記する第２のカレンダー用制御ファイル更新手段と、を更に有する。
【０００９】
また、本発明の第４の態様に係る画像再生装置は、上記第１乃至３の何れか一つの態様において、前記カレンダー再生手段が、前記記録媒体に記録されているカレンダー用制御ファイルに基づいて、カレンダー上の第２の所定期間領域単位に代表画像を表示させる第１の所定期間のカレンダー再生を行っているときに、前記アルバム再生に切り替える場合には、前記第１の所定期間に係るカレンダー用制御ファイルに記述されているアルバム用制御ファイルのリストに基づいて選択されたアルバム用制御ファイルを読み出し、当該アルバム用制御ファイルに基づいてアルバム再生を行う。
【００１０】
また、本発明の第５の態様に係る画像再生装置は、上記第１乃至４の何れか一つの態様において、前記カレンダー再生手段が、前記記録媒体に記録されているカレンダー用制御ファイルに基づいて、カレンダー上の第１の所定期間領域単位に代表画像を表示させる、前記第１の所定期間単位よりも長い期間となる第３の所定期間のカレンダー再生を行っているときに、前記アルバム再生に切り替える場合には、前記カレンダー上の代表画像が表示されている領域の第１の所定期間に係るカレンダー用制御ファイルに記述されているアルバム用制御ファイルのリストに基づいて選択されたアルバム用制御ファイルを読み出し、当該アルバム用制御ファイルに基づいてアルバム再生を行う。
【発明の効果】
【００１１】
本発明によれば、カレンダー上の所定期間領域単位に代表画像を表示するカレンダー再生から、その代表画像が登録されているアルバムを再生するアルバム再生への切り替えを容易にすることができる。
【発明を実施するための最良の形態】
【００１２】
以下、本発明の実施の形態を図面を参照しながら説明する。
図１は、本発明の一実施例に係る画像再生装置を備えたデジタルカメラの主要構成を示す図である。尚、本実施例に係るデジタルカメラは、ＤＣＦ（ Design rule for Camera File system ）準拠して構成されているものとする。
【００１３】
同図において、このデジタルカメラは、撮影時には、撮影レンズ系１によって結像された被写体像が、撮像素子２により電気信号に光電変換され、更に撮像回路３により所定の撮像処理が施された後、Ａ／Ｄ部４によりＡ／Ｄ変換され、そのデジタルデータ（画像データ）が内蔵ＲＡＭ（ＤＲＡＭ）１３に一時格納されるようになっている。そして、この一時格納された画像データが、システムコントローラ（以下単に「シスコン」という）５により所定の画像処理が施され、更に画像処理部６により所定の圧縮処理が施され、Ｉ／Ｆ７を介してカードスロット８に装着された着脱メモリ９に画像ファイルとして記録されるようになっている。
【００１４】
また、再生時には、着脱メモリ９に記録された画像データが、カードスロット８及びＩ／Ｆ７を介して読み出され、画像処理部６により所定の伸長処理が施された後、シスコン５により所定の画像処理が施されてＶＲＡＭ１０に格納され、ＬＣＤドライバ１１によってその画像が内蔵ＬＣＤ１２に表示されるようになっている。
【００１５】
また、同図において、内蔵ＲＡＭ１３は、Ａ／Ｄ部４によるＡ／Ｄ変換後の画像データの一時格納用として使用される他、画像処理部６による処理中の画像データの一時格納用、及び後述のカレンダー用制御ファイルやアルバム用制御ファイルの作成，更新等の処理を含むシスコン５による制御処理の実行のためのワークエリア等としても使用される。
【００１６】
シスコン５は、ＣＰＵ（中央演算処理装置）を備えて構成され、内蔵ＲＯＭ１４に記憶されているカメラプログラムを読み出し実行することによって、当該デジタルカメラ全体の動作を制御する。
【００１７】
操作部１５は、ズームＷｉｄｅ指示又はズームＴｅｌｅ指示のほか各種再生（１コマ再生や、１月，２月等の月単位カレンダー再生や、２００４年，２００５年等の年単位カレンダー再生等）の切り替え指示を行うためのズームボタン（ズームＷｉｄｅボタン，ズームＴｅｌｅボタン）と、表示コマの切り替え指示やカーソル枠の移動指示などを行うための十字ボタン（左，右，上，下ボタン）と、項目の選択指示や選択メニューの表示指示等を行うためのＯＫボタンなどの各種ボタンやスイッチ等を備えて構成され、受け付けた指示をシスコン５へ通知する。
【００１８】
外部Ｉ／Ｆ１６は、ＰＣ（パーソナルコンピュータ）等の外部装置との間で例えばＵＳＢケーブル等を介してデータの送受を可能にするものであり、この外部Ｉ／Ｆ１６を介して、外部装置に記録されている画像ファイルを着脱メモリ９へ移動又はコピーすることができるようになっている。
【００１９】
次に、上述したデジタルカメラの動作を説明する。
このデジタルカメラでは、内蔵ＬＣＤ１２に月単位又は年単位のカレンダーを表示する際に、着脱メモリ９に記録されているカレンダー用制御ファイルに基づいて、その月単位カレンダー上の日単位の領域にその日に撮影された代表となる一つの画像を表示する月単位カレンダー再生や、その年単位カレンダー上の月単位の領域にその月に撮影された代表となる一つの画像を表示する年単位カレンダー再生などのカレンダー再生を、高速且つスムーズに行うことが可能になっている。
【００２０】
また、このデジタルカメラでは、着脱メモリ９に記録されているカレンダー用制御ファイルとアルバム用制御ファイルに基づいて、内蔵ＬＣＤ１２に表示されている月単位又は年単位カレンダー上の画像が登録されているアルバムを容易に再生すること、すなわち、カレンダー再生からアルバム再生への切り替えを容易に行うことが可能になっている。
【００２１】
以下、上記カレンダー再生動作、及び、上記カレンダー再生からアルバム再生への切替動作について詳細に説明する。
まず、これらの動作説明の前に、これらの動作で使用される上記カレンダー用制御ファイル及びアルバム用制御ファイルについて、図２乃至図４を用いて説明する。
【００２２】
図２は、上記制御ファイルが記録された着脱メモリ９のファイル構成例を示す図である。
同図に示したように、着脱メモリ９には、ルートフォルダ下に「ＤＣＩＭ」フォルダ，「ＣＡＬＥＮＤＡＲ」フォルダ，及び「ＡＬＢＵＭ」フォルダが設けられ、「ＤＣＩＭ」フォルダ以下の階層には画像ファイル（*.jpg）が記録され、「ＣＡＬＥＮＤＡＲ」フォルダ下の階層にはカレンダー用制御ファイル（year_month.CAL）が記録され、「ＡＬＢＵＭ」フォルダ下の階層にはアルバム用制御ファイル（*.ALB）が記録されるようになっている。
【００２３】
「ＤＣＩＭ」フォルダ以下の画像ファイルは、画像データの他に撮影日時（撮影年月日）等の情報も含んでいる。撮影日時の情報は、画像ファイルの例えばＥｘｉｆ（ Exchangeable Image File Format ）タグ等に記載される。同図では、画像ファイルと共に撮影日時の情報も併せて示している（例えば「Ｐ１０１０００１．ｊｐｇ  ２００４／１／１  １０：００」等）。
【００２４】
尚、本実施例では、撮影日時の情報として、この画像ファイルに含まれる撮影日時の情報を使用するものとするが、その他、着脱メモリ９のディレクトリエントリに記述されたＤｏｓＴｉｍｅＳｔａｍｐによる日時情報（年月日の情報）を撮影日時の情報として使用することも可能である。
【００２５】
「ＣＡＬＥＮＤＥＲ」フォルダ下のカレンダー用制御ファイルは、当該着脱メモリ９に記録されている画像ファイルの撮影日時を含む月単位で記録されるものであり、詳しくは、画像ファイルが着脱メモリ９に記録されたときに、当該画像ファイルの撮影日時を含む月に係るカレンダー用制御ファイルが着脱メモリ９に記録されていない場合に限り、そのカレンダー用制御ファイルが作成・記録されるものである。同図の例では、着脱メモリ９に記録されている画像ファイルの撮影日時が、２００４年１月，２月，及び６月と２００５年１１月に含まれるものであるから、２００４年１月，２月，及び６月と２００５年１１月に係る４つのカレンダー用制御ファイルが記録されている。
【００２６】
「ＡＬＢＵＭ」フォルダ下のアルバム用制御ファイルは、ユーザがアルバム作成指示を行う毎に作成・記録されるものであり、同図の例では、それにより２つのアルバム用制御ファイルが記録されている。
【００２７】
図３は、上記アルバム用制御ファイルの記述内容を示す図である。
同図に示したように、アルバム用制御ファイルには、アルバム番号（「Ｎｕｍｂｅｒ」）と、アルバムタイトル（「Ｔｉｔｌｅ」）と、当該アルバムに登録されている画像ファイルのリスト（「ｐｈｏｔｏ」）が記述されるようになっている。
【００２８】
例えば、同図のアルバム用制御ファイル「ＡＬＢＵＭ＿０１．ＡＬＢ」には、アルバム番号として「１」、アルバムタイトルとして「お正月」、当該アルバムに登録されている画像ファイルのリストとして「／ＤＣＩＭ／１００ＯＬＹＭＰ／Ｐ１０１０００１．ｊｐｇ」と「／ＤＣＩＭ／１００ＯＬＹＭＰ／Ｐ１０１０００２．ｊｐｇ」とが、記述されている。
【００２９】
図４は、上記カレンダー用制御ファイルの記述内容を示す図である。
同図に示したように、カレンダー用制御ファイルには、当該カレンダー用制御ファイルが何年の何月に係るものであるかを特定するための年月（「Ｙｅａｒ」，「Ｍｏｎｔｈ」）と共に、その月内に撮影日が含まれる画像ファイルのリストが日単位で一つづつ記述されるようになっている。但し、撮影日が同日となる画像ファイルが複数ある場合には、その日に係る画像ファイルのリストとして、撮影日時がその日の最古となる画像ファイルのリストが記述される。或いは、この場合には、その他、撮影日時がその日の例えば最新となる画像ファイルのリストが記述されるようにすることも可能である。尚、このように日単位で一つづつ記述される画像ファイルのリストを、代表画像ファイルのリストともいう。
【００３０】
例えば、同図のカレンダー用制御ファイル「２００４＿０１．ＣＡＬ」には、当該カレンダー用制御ファイルに係る月として「２００４」年の「１」月が記述され、撮影日が２００４年１月内の日単位で記述される代表画像ファイルのリストとして、撮影日が「１」日の最古の画像ファイルのリスト「／ＤＣＩＭ／１００ＯＬＹＭＰ／Ｐ１０１０００１．ＪＰＧ」と、撮影日が「５」日の最古の画像ファイルのリスト「／ＤＣＩＭ／１００ＯＬＹＭＰ／Ｐ１０５０００３．ＪＰＧ」が記述されている。
【００３１】
また、カレンダー用制御ファイルには、当該カレンダー用制御ファイルに係る月よりも過去又は及び未来の月に係るカレンダー用制御ファイルが存在する場合には、当該カレンダー用制御ファイルに係る月よりも過去で且つ最新又は及び未来で且つ最古の月に係るカレンダー用制御ファイルのリストも記述されるようになっている。
【００３２】
例えば、カレンダー用制御ファイル「２００４＿０１．ＣＡＬ」には、当該カレンダー用制御ファイルに係る月よりも未来で且つ最古の月に係るカレンダー用制御ファイルのリストとして、２００４年２月に係るカレンダー用制御ファイルのリスト「／ＣＡＬＥＮＤＡＲ／２００４＿０２．ＣＡＬ」が記述されている。但し、「２００４＿０１．ＣＡＬ」には、当該カレンダー用制御ファイルに係る月よりも過去の月に係るカレンダー用制御ファイルが存在しないので、当該カレンダー用制御ファイルに係る月よりも過去で且つ最新の月に係るカレンダー用制御ファイルのリストは記述されない。
【００３３】
また、例えば「２００４＿０２．ＣＡＬ」には、当該カレンダー用制御ファイルに係る月よりも過去で且つ最新の月に係るカレンダー用制御ファイルのリストとして、２００４年１月のカレンダー用制御ファイルのリスト「／ＣＡＬＥＮＤＡＲ／２００４＿０１．ＣＡＬ」が記述され、当該カレンダー用制御ファイルに係る月よりも未来で且つ最古の月に係るカレンダー用制御ファイルのリストとして、２００４年６月のカレンダー用制御ファイルのリスト「／ＣＡＬＥＮＤＡＲ／２００４＿０６．ＣＡＬ」が記述されている。
【００３４】
尚、当該カレンダー用制御ファイルに係る月よりも過去で且つ最新の月に係るカレンダー用制御ファイルのリストを「Ｐｒｅｖ」パラメータともいい、当該カレンダー用制御ファイルに係る月よりも未来で且つ最古の月に係るカレンダー用制御ファイルのリストを「Ｎｅｘｔ」パラメータともいう。
【００３５】
また、カレンダー用制御ファイルには、当該カレンダー用制御ファイルに係る月と同じ月に撮影された画像ファイルのリストが記述されたアルバム用制御ファイルが存在する場合に限り、そのアルバム用制御ファイルのリストも記述されるようになっている。
【００３６】
例えば、カレンダー用制御ファイル「２００４．０１．ＣＡＬ」には、アルバム用制御ファイル「ＡＬＢＵＭ＿０１．ＡＬＢ」に記述されている画像ファイルのリスト「／ＤＣＩＭ／１００ＯＬＹＭＰ／Ｐ１０１０００１．ＪＰＧ」と、アルバム用制御ファイル「ＡＬＢＵＭ＿０２．ＡＬＢ」に記述されている画像ファイルのリスト「／ＤＣＩＭ／１００ＯＬＹＭＰ／Ｐ１０５０００３．ＪＰＧ」とが代表画像ファイルのリストとして記述されているので、そのアルバム用制御ファイルのリストとして「／ＡＬＢＵＭ／ＡＬＢＵＭ＿０１．ＡＬＢ」と「／ＡＬＢＵＭ／ＡＬＢＵＭ＿０２．ＡＬＢ」とが記述されている。
【００３７】
尚、このアルバム用制御ファイルのリストを「ＡＬＢＵＭ」パラメータともいう。
次に、上記カレンダー用制御ファイルに基づいて行われるカレンダー再生動作の概要を説明する。
【００３８】
図５は、そのカレンダー再生動作の概要を説明する図である。
例えば、ユーザが操作部１５に対し所定の操作を行って１コマ毎に画像を表示する１コマ再生モードを指示すると、表示コマが最終コマとされ、その表示コマの画像データが着脱メモリ９から読み出され、その画像データに基づく画像が内蔵ＬＣＤ１２に表示される。
【００３９】
以後、この１コマ再生モードでは、ユーザが十字ボタンを操作する毎に表示コマの切替が行われる。詳しくは、左ボタンを押下すると表示コマが１コマ前となり、右ボタンを押下すると表示コマが１コマ後となり、上ボタンを押下すると表示コマが１０コマ前となり、下ボタンを押下すると表示コマが１０コマ後となって、その都度、表示コマの画像データが着脱メモリ９から読み出され、その画像データに基づく画像が内蔵ＬＣＤ１２に表示される。但し、１コマ前又は１０コマ前のコマがないときには表示コマが最終コマとされ、１コマ後又は１０コマ後のコマがないときには表示コマが１とされる。
【００４０】
この１コマ再生モードにおいて、ユーザが上記ズームＷｉｄｅボタンを押下すると、例えば１月，２月などの月単位でカレンダーを表示する月単位カレンダー再生モードに切り替わり、１コマ再生モードで最後に表示されていた表示コマの画像の撮影日を含む月に係るカレンダー用制御ファイルに基づいて、その月の月単位カレンダー表示が行われる。
【００４１】
例えば、図５に示したように、１コマ再生モードで最後に表示されていた表示コマの画像１７が「１００ＯＬＹＭＰ／Ｐ１０１０００１．ＪＰＧ」の場合、この画像１７の撮影日は２００４年１月１日であるので、着脱メモリ９から２００４年１月に係るカレンダー用制御ファイル「２００４＿０１．ＣＡＬ」が読み出され、そのカレンダー用制御ファイルに基づいて、２００４年１月の月単位カレンダー表示が行われる。
【００４２】
この月単位カレンダー表示の際には、表示対象となる月に係るカレンダー用制御ファイルに日単位で記述されている代表画像ファイルのリスト毎に、当該代表画像ファイルのリストに基づいて当該代表画像ファイルの画像データが着脱メモリ９から読み出され、その画像データに基づく画像が、当該代表画像ファイルのリストに係る日、すなわち、その画像の撮影日の領域に表示される。
【００４３】
同図の例では、２００４年１月に係るカレンダー用制御ファイル「２００４＿０１．ＣＡＬ」に日単位で記述されている代表画像ファイルのリストである、１日の「／ＤＣＩＭ／１００ＯＬＹＭＰ／Ｐ１０１０００１．ＪＰＧ」と５日の「／ＤＣＩＭ／１００ＯＬＹＭＰ／Ｐ１０５０００３．ＪＰＧ」に基づいて、「／１００ＯＬＹＭＰ／Ｐ１０１０００１．ＪＰＧ」と「／１００ＯＬＹＭＰ／Ｐ１０５０００３．ＪＰＧ」が着脱メモリ９から読み出され、「／１００ＯＬＹＭＰ／Ｐ１０１０００１．ＪＰＧ」に基づく画像１８が月単位カレンダー上の１日の領域に、「／１００ＯＬＹＭＰ／Ｐ１０５０００３．ＪＰＧ」に基づく画像１９が月単位カレンダー上の５日の領域に表示される。
【００４４】
また、１コマ再生モードから月単位カレンダー再生モードに切り替えられ、１コマ再生モードで最後に表示されていた表示コマの画像の撮影日を含む月の月単位カレンダーが表示されたときには、その１コマ再生モードで最後に表示されていた表示コマの画像の撮影日の領域にカーソル枠が表示される。
【００４５】
同図の例では、１コマ再生モードで最後に表示されていた表示コマの画像１７の撮影日が２００４年１月１日であるので、１日の領域にカーソル枠２０が表示される。
尚、同図において、符号２１と２２で示したものは、２００４年１月の月単位カレンダー上の、カーソル枠２０を含めた１日の領域と５日の領域を拡大したものである。
【００４６】
以後、この月単位カレンダー再生モードでは、ユーザが十字ボタンを操作する毎にカーソル枠の移動が行われる。詳しくは、左ボタンを押下すると、撮影日時が、カーソル枠が表示されていた日よりも過去で且つ最新の画像ファイルの撮影日の領域へカーソル枠が移動する。また、右ボタンを押下すると、撮影日時が、カーソル枠が表示されていた日よりも未来で且つ最古の画像ファイルの撮影日の領域へカーソル枠が移動する。また、上ボタンを押下すると、撮影日時が、カーソル枠が表示されていた日の月よりも過去で且つ最新の画像ファイルの撮影日の領域にカーソル枠が移動する。また、下ボタンを押下すると、撮影日時が、カーソル枠が表示されていた日の月よりも未来で且つ最古の画像ファイルの撮影日の領域にカーソル枠が移動する。
【００４７】
但し、このようにして十字ボタンの操作が行われたときに該当する画像ファイルが存在しない場合には、カーソル枠の移動は行われない。尚、この場合に、左ボタン又は上ボタンが押下されていたときには、撮影日時が最新の画像ファイルの撮影日の領域にカーソル枠が移動するようにし、右ボタン又は下ボタンが押下されていたときには、撮影日時が最古の画像ファイルの撮影日の領域にカーソル枠が移動するようにすることも可能である。
【００４８】
このような十字ボタンの操作により行われる動作は、詳しくは後述するが、カレンダー用制御ファイルに記述されている代表画像ファイルのリストやカレンダー用制御ファイルのリストに基づいて行われる。
【００４９】
また、この月単位カレンダー再生モードにおいて、ユーザが上記ズームＴｅｌｅボタンを押下すると、再び、１コマ再生モードに切り替わり、月単位カレンダー再生モードで最後にカーソル枠が表示されていた日の代表画像ファイルの画像が、表示コマの画像として表示される。
【００５０】
一方、月単位カレンダー再生モードにおいて、ユーザが上記ズームＷｉｄｅボタンを押下すると、例えば２００４年，２００５年などの年単位でカレンダーを表示する年単位カレンダー再生モードに切り替わり、月単位カレンダー再生モードで最後にカーソル枠が表示されていた日を含む年に含まれる月に係るカレンダー用制御ファイルに基づいて、その年の年単位カレンダー表示が行われる。
【００５１】
同図の例では、月単位カレンダー再生モードで最後にカーソル枠が表示されていた日が２００４年１月１日であるので、２００４年に含まれる月に係るカレンダー用制御ファイルである、「２００４＿０１．ＣＡＬ」，「２００４＿０２．ＣＡＬ」，及び「２００４＿０６．ＣＡＬ」が着脱メモリ９から読み出され、それらのカレンダー用制御ファイルに基づいて２００４年の年単位カレンダー表示が行われる。
【００５２】
この年単位カレンダー表示の際には、読み出されたカレンダー用制御ファイル毎に、当該カレンダー用制御ファイルに記述されている撮影日が最古の代表画像ファイルのリストに基づいてその代表画像ファイルの画像データが着脱メモリ９から読み出され、その画像データに基づく画像が、当該カレンダー用制御ファイルに係る月、すなわち、その画像の撮影月の領域に表示される。
【００５３】
同図の例では、「２００４＿０１．ＣＡＬ」に記述されている撮影日が最古の代表画像ファイルのリストである「／ＤＣＩＭ／１００ＯＬＹＭＰ／Ｐ１０１０００１．ＪＰＧ」に基づいて、「／１００ＯＬＹＭＰ／Ｐ１０１０００１．ＪＰＧ」が着脱メモリ９から読み出され、その「／１００ＯＬＹＭＰ／Ｐ１０１０００１．ＪＰＧ」に基づく画像２３が年単位カレンダー上の１月の領域に表示される。同様にして、「２００４＿０２．ＣＡＬ」に記述されている撮影日が最古の代表画像ファイルのリストである「／ＤＣＩＭ／１０１ＯＬＹＭＰ／Ｐ２０１０００１．ＪＰＧ」に基づいて、画像２４が２月の領域に表示され、「２００４＿０６．ＣＡＬ」に記述されている撮影日が最古の代表画像ファイルのリストである「／ＤＣＩＭ／１０１ＯＬＹＭＰ／Ｐ６２２０００２．ＪＰＧ」に基づいて、画像２５が６月の領域に表示される。
【００５４】
尚、本実施例では、月の領域に表示される画像を、撮影日時がその月の最古の画像ファイルの画像とするが、その他、撮影日時がその月の例えば最新の画像ファイルの画像とすることも可能である。
【００５５】
また、月単位カレンダー再生モードから年単位カレンダー再生モードに切り替えられ、月単位カレンダー再生モードで最後にカーソル枠が表示されていた日を含む年の年単位カレンダーが表示されたときには、その月単位カレンダー再生モードで最後にカーソル枠が表示されていた日を含む月の領域にカーソル枠が表示される。
【００５６】
同図の例では、月単位カレンダー再生モードで最後にカーソル枠が表示されていた日が２００４年１月１日であるので、１月の領域にカーソル枠２０が表示される。
尚、同図において、符号２６で示したものは、２００４年の年単位カレンダー上の、カーソル枠２０を含めた１月の領域を拡大したものである。
【００５７】
以後、この年単位カレンダー再生モードでは、ユーザが十字ボタンを操作する毎にカーソル枠の移動が行われる。詳しくは、左ボタンを押下すると、撮影日時が、カーソル枠が表示されていた月よりも過去で且つ最新の画像ファイルの撮影月の領域にカーソル枠が移動する。また、右ボタンを押下すると、撮影日時が、カーソル枠が表示されていた月よりも未来で且つ最古の画像ファイルの撮影月の領域にカーソル枠が移動する。また、上ボタンを押下すると、撮影日時が、カーソル枠が表示されていた月の年よりも過去で且つ最新の画像ファイルの撮影月の領域にカーソル枠が移動する。また、下ボタンを押下すると、撮影日時が、カーソル枠が表示されていた月の年よりも未来で且つ最古の画像ファイルの撮影月の領域にカーソル枠が移動する。
【００５８】
但し、このような十字ボタンの操作が行われたときに該当する画像ファイルが存在しない場合には、カーソル枠の移動は行われない。尚、この場合に、左ボタン又は上ボタンが押下されていたときには、撮影日時が最新の画像ファイルの撮影月の領域にカーソル枠が移動するようにし、右ボタン又は下ボタンが押下されていたときには、撮影日時が最古の画像ファイルの撮影月の領域にカーソル枠が移動するようにすることも可能である。
【００５９】
このような十字ボタンの操作により行われる動作も、詳しくは後述するが、カレンダー用制御ファイルに記述されている代表画像ファイルのリストやカレンダー用制御ファイルのリストに基づいて行われる。
【００６０】
また、この年単位カレンダー再生モードにおいて、ユーザが上記ズームＴｅｌｅボタンを押下すると、再び、月単位カレンダー再生モードに切り替わり、年単位カレンダー再生モードで最後にカーソル枠が表示されていた月に係るカレンダー用制御ファイルに基づいてその月の月単位カレンダー表示が行われると共に、年単位カレンダー再生モードで最後にカーソル枠が表示されていた月の最古の画像の撮影日の領域にカーソル枠が表示される。
【００６１】
次に、上記アルバム用制御ファイルが作成・記録、又は更新されるときの動作と、それに伴って上記カレンダー用制御ファイルが更新されるときの動作（以下、両動作を併せて「アルバム登録動作」という）の概要を説明する。
【００６２】
図６は、そのアルバム登録動作の概要を説明する図である。
同図に示したように、ユーザがアルバムに画像を登録しようとする場合には、まず、１コマ再生モードにおいて十字ボタンを操作してアルバムに登録する所望の画像を表示させ、そこでＯＫボタンを押下する。
【００６３】
同図の例では、「１００ＯＬＹＭＰ／Ｐ１０１０００１．ＪＰＧ」の画像２７を表示させたところでＯＫボタンを押下したとする。
すると、登録先として選択可能なアルバム一覧を示す登録先アルバム選択メニュー（登録先アルバム選択画面）２８が表示される。この登録先アルバム選択メニュー２８には、着脱メモリ９に記録されているアルバム用制御ファイルのアルバム番号及びアルバムタイトルと、ユーザが新規に作成するアルバムにも画像を登録可能にするための「新しくつくる」が表示される。
【００６４】
同図の例では、着脱メモリ９に「ＡＬＢＵＭ＿０１．ＡＬＢ」と「ＡＬＢＵＭ＿０２．ＡＬＢ」が記録されていることから、アルバム番号「１」のアルバムタイトル「お正月」と、アルバム番号「２」のアルバムタイトル「遊園地」と、「新しくつくる」とを示す登録先アルバム選択メニュー２８が表示される。
【００６５】
但し、着脱メモリ９にアルバム用制御ファイルが記録されていない場合には、「新しくつくる」のみを示す登録先アルバム選択メニュー２９が表示される。
続いて、ユーザが、この登録先アルバム選択メニュー２８から、上下ボタンの操作によりカーソル３０を所望のアルバムタイトルに移動させたところでＯＫボタンを押下すると、そのアルバムタイトルが選択され、そのアルバムタイトルのアルバムにその画像が登録される。具体的には、選択されたアルバムタイトルのアルバム用制御ファイルに、その画像に係る画像ファイルのリストが記述され、アルバム用制御ファイルの更新が行われる。
【００６６】
同図の例では、登録先アルバム選択メニュー２８において、「お正月」にカーソル３０を移動させたところでＯＫボタンを押下したとすると、アルバムタイトルが「お正月」のアルバム用制御ファイル「ＡＬＢＵＭ＿０１．ＣＡＬ」に、画像ファイル「／１００ＯＬＹＭＰ／Ｐ１０１０００１．ＪＰＧ」のリストである「／ＤＣＩＭ／１００ＯＬＹＭＰ／Ｐ１０１０００１．ＪＰＧ」が記述され、「ＡＬＢＵＭ＿０１．ＡＬＢ」の更新が行われる。
【００６７】
或いは、例えば、ユーザが、この登録先アルバム選択メニュー２８（又は２９）から、カーソル３０を「新しくつくる」に移動させたところでＯＫボタンを押下すると、ユーザが新規に作成可能なアルバムタイトルの一覧を示すアルバムタイトル選択メニュー（アルバムタイトル選択画面）３１が表示される。ユーザは、このアルバムタイトル選択メニュー３１から、上下ボタンの操作によりカーソル３０を所望のアルバムタイトルに移動させたところでＯＫボタンを押下すると、そのアルバムタイトルが選択され、そのアルバムタイトルのアルバム用制御ファイルが作成されると共に、そのアルバム用制御ファイルに、アルバム番号と、その画像に係る画像ファイルのリストが記述され、それが着脱メモリ９に記録される。但し、このときのアルバム番号は、着脱メモリ９に既に記録されているアルバム用制御ファイルのアルバム番号と重複しないアルバム番号が記述される。
【００６８】
例えば、アルバムタイトル選択メニュー３１から、アルバムタイトルとして「誕生日」が選択されたときには、アルバムタイトル「誕生日」のアルバム用制御ファイルが作成され、それに、アルバム番号「３」と画像ファイル「／１００ＯＬＹＭＰ／Ｐ１０１０００１．ＪＰＧ」のリストである「／ＤＣＩＭ／１００ＯＬＹＭＰ／Ｐ１０１０００１．ＪＰＧ」が記述され、そのアルバム用制御ファイルが着脱メモリ９に記録される。
【００６９】
このようにして、アルバム用制御ファイルの更新、又は作成・記録が行われると、そのアルバム用制御ファイルに記述された画像ファイルの撮影月と同じ月に係るカレンダー用制御ファイルが検索され、そのカレンダー用制御ファイルが着脱メモリ９に記録されていた場合には、そのカレンダー用制御ファイルに、「ＡＬＢＵＭ」パラメータとして、そのアルバム用制御ファイルのリストが記述され、カレンダー用制御ファイルの更新が行われる。
【００７０】
次に、上記カレンダー用制御ファイルとアルバム用制御ファイルに基づいて行われる、カレンダー再生からアルバム再生への切替動作の概要を説明する。
図７は、そのカレンダー再生からアルバム再生への切替動作の概要を説明する図である。
【００７１】
同図に示したように、日単位に画像を表示する月単位カレンダー３２を表示しているときに、その月単位カレンダー３２の月に撮影された画像が登録されているアルバムを再生しようとする場合、或いは、月単位に画像を表示する年単位カレンダー３３を表示しているときに、その年単位カレンダー３３上のカーソル枠２０のある月に撮影された画像が登録されているアルバムを再生しようとする場合には、そこでＯＫボタンを押下する。
【００７２】
同図の例では、２００４年６月の月単位カレンダー３２が表示されているとき、或いは、２００４年の年単位カレンダー３３上の６月の領域にカーソル枠２０があるときに、ＯＫボタンを押下したとする。
【００７３】
すると、その月単位カレンダー３２の月に係るカレンダー用制御ファイルに記述されている「ＡＬＢＵＭ」パラメータに基づいて、或いは、その年単位カレンダー３３上のカーソル枠２０のある月に係るカレンダー用制御ファイルに記述されている「ＡＬＢＵＭ」パラメータに基づいて、そのアルバム用制御ファイルのアルバム番号とアルバムタイトルの一覧を示す再生アルバム選択メニュー（再生アルバム選択画面）３４が表示される。
【００７４】
同図の例では、２００４年６月に係るカレンダー用制御ファイル「２００４＿０６．ＣＡＬ」に記述されている「ＡＬＢＵＭ」パラメータに基づいて、アルバム用制御ファイル「ＡＬＢＵＭ＿０２．ＡＬＢ」のアルバム番号「２」とアルバムタイトル「遊園地」を示す再生アルバム選択メニュー３４が表示される。
【００７５】
ユーザが、この再生アルバム選択メニュー３４から、上下ボタンの操作によりカーソル３０を所望のアルバムタイトルに移動させたところでＯＫボタンを押下すると、そのアルバムタイトルが選択され、そのアルバムタイトルのアルバム用制御ファイルに記述されている画像ファイルのリストに基づいてその画像を表示するアルバム再生が行われる。
【００７６】
同図の例では、再生アルバム選択メニュー３４において選択可能なアルバムタイトルは「遊園地」しかないので、ここでＯＫボタンを押下したとすると、アルバムタイトルが「遊園地」のアルバム用制御ファイル「ＡＬＢＵＭ＿０２．ＣＡＬ」に記述されている画像ファイルのリスト「／ＤＣＩＭ／１００ＯＬＹＭＰ／Ｐ１０１０００１．ＪＰＧ」と「／ＤＣＩＭ／１００ＯＬＹＭＰ／Ｐ１０１０００２．ＪＰＧ」に基づいて、「／１００ＯＬＹＭＰ／Ｐ１０１０００１．ＪＰＧ」の画像と「／１００ＯＬＹＭＰ／Ｐ１０１０００２．ＪＰＧ」の画像とがアルバム再生される。
【００７７】
次に、上述の図５で説明したカレンダー再生動作において使用されるカレンダー用制御ファイルの登録に係る動作と、そのカレンダー再生動作とを、図８乃至図１２に示すフローチャートを参照しながら更に詳細に説明する。
【００７８】
まず、上記カレンダー用制御ファイルの登録に係る動作を、図８及び図９を用いて説明する。
図８は、撮影により画像ファイルが着脱メモリ９に記録されたときに行われる、カレンダー用制御ファイルの登録に係る動作を示すフローチャートである。
【００７９】
同図に示したように、本動作では、まず、撮影モードにおいて、ユーザにより撮影が指示されると、撮影動作を行い（ステップ（以下単に「Ｓ」という）１）、画像データを画像ファイルとして着脱メモリに記録する（Ｓ２）。
【００８０】
続いて、Ｓ２で記録した画像ファイルの撮影日時（ｄａｔｅｔｉｍｅ）の年をＹ，月をＭ，日をＤとし（Ｓ３）、着脱メモリ９においてＹ年Ｍ月に係るカレンダー用制御ファイルを検索し（Ｓ４）、そのカレンダー用制御ファイルが存在するか否かを判定する（Ｓ５）。
【００８１】
Ｓ５の判定がＮｏの場合、続いて、Ｙ年Ｍ月に係るカレンダー用制御ファイルを作成し、すなわち当該カレンダー用制御ファイルがＹ年Ｍ月に係るものであること（「Ｙｅａｒ」＝Ｙ，「Ｍｏｎｔｈ」＝Ｍ）を記述したカレンダー用制御ファイルを作成し（Ｓ６）、当該カレンダー用制御ファイルに、Ｄ日に係る代表画像ファイルのリストとして、Ｓ２で記録した画像ファイルのパスを含むファイル名（ｆｉｌｅｎａｍｅ）を記述する（Ｓ７）。続いて、着脱メモリ９においてＹ年Ｍ月よりも過去で且つ最新の月に係るカレンダー用制御ファイルを検索し（Ｓ８）、そのカレンダー用制御ファイルが存在するか否かを判定する（Ｓ９）。
【００８２】
Ｓ９の判定がＹｅｓの場合、続いて、そのＳ９で存在すると判定されたカレンダー用制御ファイルに係る年をＹ2，月をＭ2とし（Ｓ１０）、そのＹ2年Ｍ2月に係るカレンダー用制御ファイルに、当該カレンダー用制御ファイルに係る月よりも未来で且つ最古の月に係るカレンダー用制御ファイルのリスト（「Ｎｅｘｔ」パラメータ）として、Ｙ年Ｍ月に係るカレンダー用制御ファイルのファイル名を追記する（Ｓ１１）。続いて、Ｙ年Ｍ月に係るカレンダー用制御ファイルに、当該カレンダー用制御ファイルに係る月よりも過去で且つ最新の月に係るカレンダー用制御ファイルのリスト（「Ｐｒｅｖ」パラメータ）として、Ｙ2年Ｍ2月に係るカレンダー用制御ファイルのファイル名を記述する（Ｓ１２）。そして、そのＹ年Ｍ月に係るカレンダー用制御ファイルを着脱メモリ９に記録し（Ｓ１３）、本フローが終了する。一方、Ｓ９の判定がＮｏの場合には、そのままＹ年Ｍ月に係るカレンダー用制御ファイルを着脱メモリ９に記録し（Ｓ１３）、本フローが終了する。
【００８３】
一方、上記Ｓ５の判定がＹｅｓの場合、続いて、そのＹ年Ｍ月に係るカレンダー用制御ファイルに、Ｄ日に係る代表画像ファイルのリストが記述されているか否かを判定する（Ｓ１４）。
【００８４】
Ｓ１４の判定がＮｏの場合には、続いて、そのＹ年Ｍ月に係るカレンダー用制御ファイルに、Ｄ日に係る代表画像ファイルのリストとして、Ｓ２で記録した画像ファイルのパスを含むファイル名（ｆｉｌｅｎａｍｅ）を追記し（Ｓ１５）、本フローが終了する。一方、Ｓ１４の判定がＹｅｓの場合には、そのまま本フローが終了する。
【００８５】
図９は、外部装置からの画像ファイルが着脱メモリ９に記録されたときに行われる、カレンダー用制御ファイルの登録に係る動作を示すフローチャートである。
同図に示したように、本動作では、まず、外部Ｉ／Ｆ１６を介して、ＵＳＢケーブル等で接続されている例えばＰＣ等の外部装置から着脱メモリ９へ画像ファイルが記録されると（Ｓ２１）、Ｓ２２以降の処理を開始する。
【００８６】
続く、Ｓ２２以降の処理は、上述の図８に示したＳ３以降の処理とほぼ同様であるが、図８に示した動作では、Ｓ１２の後又はＳ９がＮｏの後にＳ１３の処理が行われ、また、Ｓ１４がＹｅｓの後にそのままフローが終了していたのに対し、本動作では、Ｓ１２に対応するＳ３１の後又はＳ９に対応するＳ２８がＮｏの後に、更にＳ１３９乃至Ｓ１４３の処理を行ってからＳ１３に対応するＳ３２の処理を行い、また、Ｓ１４に対応するＳ３３がＹｅｓの後に更にＳ３５乃至Ｓ３８の処理を行う点が異なる。
【００８７】
すなわち、本フローでは、Ｓ３１の後又はＳ２８がＮｏの後は、続いて、着脱メモリ９においてＹ年Ｍ月よりも未来で且つ最古の月に係るカレンダー用制御ファイルを検索し（Ｓ１３９）、そのカレンダー用制御ファイルが存在するか否かを判定する（Ｓ１４０）。
【００８８】
Ｓ１４０の判定がＹｅｓの場合、続いて、そのＳ１４０で存在すると判定されたカレンダー用制御ファイルに係る年をＹ3，月をＭ3とし（Ｓ１４１）、そのＹ3年Ｍ3月に係るカレンダー用制御ファイルに、当該カレンダー用制御ファイルに係る月よりも過去で且つ最新の月に係るカレンダー用制御ファイルのリスト（「Ｐｒｅｖ」パラメータ）として、Ｙ年Ｍ月に係るカレンダー用制御ファイルのファイル名を追記する（Ｓ１４２）。続いて、Ｙ年Ｍ月に係るカレンダー用制御ファイルに、当該カレンダー用制御ファイルに係る月よりも未来で且つ最古の月に係るカレンダー用制御ファイルのリスト（「Ｎｅｘｔ」パラメータ）として、Ｙ3年Ｍ3月に係るカレンダー用制御ファイルのファイル名を記述する（Ｓ１４３）。そして、そのＹ年Ｍ月に係るカレンダー用制御ファイルを着脱メモリ９に記録し（Ｓ３２）、本フローが終了する。一方、Ｓ１４０の判定がＮｏの場合には、そのままＹ年Ｍ月に係るカレンダー用制御ファイルを着脱メモリ９に記録し（Ｓ３２）、本フローが終了する。
【００８９】
このように、Ｓ３１の後又はＳ２８がＮｏの後にＳ１３９以降の処理を行う理由は、外部装置から着脱メモリ９へ画像ファイルが記録される場合には、外部装置からの画像ファイルの撮影日時の方が、既に着脱メモリ９に記録されていた画像ファイルの撮影日時よりも過去となる場合があるからである。
【００９０】
また、本フローにおいて、Ｓ３３がＹｅｓの後は、続いて、Ｙ年Ｍ月に係るカレンダー用制御ファイルに記述されているＤ日に係る代表画像ファイルのリスト（パスを含むファイル名：ｆｉｌｅｎａｍｅ２）を取得し（Ｓ３５）、着脱メモリ９において、その代表画像ファイルのリストを検索し、その代表画像ファイルの撮影日時（ｄａｔｅｔｉｍｅ２）を取得する（Ｓ３６）。そして、Ｓ２１で着脱メモリ９に記録された画像ファイルの撮影日時（ｄａｔｅｔｉｍｅ）が、Ｓ３６で取得された代表画像ファイルの撮影日時（ｄａｔｅｔｉｍｅ２）よりも過去であるか否かを判定する（Ｓ３７）。
【００９１】
Ｓ３７の判定がＹｅｓの場合、続いて、Ｙ年Ｍ月に係るカレンダー用制御ファイルにＤ日に係る代表画像ファイルのリストとして記述されている画像ファイルのパスを含むファイル名（ｆｉｌｅｎａｍｅ２）を、Ｓ２１で記録された画像ファイルのパスを含むファイル名（ｆｉｌｅｎａｍｅ）へ変更し（Ｓ３８）、本フローが終了する。一方、Ｓ３７がＮｏの場合には、そのまま本フローが終了する。
【００９２】
このように、Ｓ３３がＹｅｓの場合にＳ３５以降の処理を行う理由は、外部装置から着脱メモリ９へ画像ファイルが記録される場合には、外部装置からの画像ファイルの撮影日時と、既に着脱メモリ９に記録されていた画像ファイルの撮影日時とが同日であったとしても、外部装置からの画像ファイルの撮影日時の方が、既に着脱メモリ９に記録されていた画像ファイルの撮影日時よりも過去となる場合があるからである。
【００９３】
尚、本実施例において、撮影日が同日となる画像ファイルが複数ある場合に、その日に係る代表画像ファイルのリストを、仮に、撮影日時がその日の最新となる画像ファイルのリストとしていた場合には、上記Ｓ３７の判定がＮｏのときに上記Ｓ３８の処理を行い、Ｙｅｓのときにはそのまま終了するように上記フローを構成することも可能である。
【００９４】
次に、ズームＷｉｄｅボタンの押下により１コマ再生モードから月単位カレンダー再生モードに変更された場合、若しくは、ズームＴｅｌｅボタンの押下により年単位カレンダー再生モードから月単位カレンダー再生モードに変更された場合に行われるカレンダー再生動作を、図１０を用いて説明する。
【００９５】
図１０は、その月単位カレンダー再生モードに変更された場合のカレンダー再生動作に係るフローチャートである。
同図に示したように、本動作では、１コマ再生モードにおいて撮影日時がＹ年Ｍ月Ｄ日の画像が表示されているときにズームＷｉｄｅボタンが押下されると、まず、その画像の撮影日時を含むＹ年Ｍ月の月単位カレンダーの罫線や日付の数値などをＶＲＡＭ１０に描画する（Ｓ４１）。若しくは、年単位カレンダー再生モードにおいて撮影日時がＹ年Ｍ月Ｄ日（但しＤ日はＹ年Ｍ月で最古の撮影日）の画像があるＹ年Ｍ月の領域にカーソル枠があるＹ年の年単位カレンダーが表示されているときにズームｔｅｌｅボタンが押下されると、まず、そのカーソル枠があったＹ年Ｍ月の領域に表示されていた画像の撮影日時を含むＹ年Ｍ月の月単位カレンダーの罫線や日付の数字などをＶＲＡＭ１０に描画する（Ｓ４１）。これにより、Ｙ年Ｍ月の月単位カレンダーが内蔵ＬＣＤ１２に表示される。但し、この時には、まだ月単位カレンダー上に画像は表示されていない。
【００９６】
続いて、着脱メモリ９において、そのＹ年Ｍ月に係るカレンダー用制御ファイルを検索し（Ｓ４２）、ｄを１として（１→ｄ）（Ｓ４３）、そのＹ年Ｍ月に係るカレンダー用制御ファイルに、ｄ日に係る代表画像ファイルのリストが記述されているか否かを判定する（Ｓ４４）。
【００９７】
Ｓ４４がＹｅｓの場合、そのｄ日に係る代表画像ファイルのリスト（パスを含むファイル名：ｆｉｌｅｎａｍｅ）を取得し（Ｓ４５）、そのｄ日に係る代表画像ファイルの画像データを読み出して、そのｄ日に係る代表画像ファイルの画像データに基づく縮小画像を、Ｙ年Ｍ月の月単位カレンダー上のｄ日の領域に表示し（Ｓ４６）、続いて、ｄをインクリメントする（ｄ＋１→ｄ）（Ｓ４７）。一方、Ｓ４４がＮｏの場合には、そのままＳ４７へ進み、ｄをインクリメントする（ｄ＋１→ｄ）。
【００９８】
Ｓ４７の後、続いて、ｄがＹ年Ｍ月の総日数を越えたか否かを判定し（Ｓ４８）、その判定結果がＮｏの場合にはＳ４４へ戻る。このようにして、ｄの値が１からＹ年Ｍ月の総日数の値まで上述の処理が繰り返されると、Ｙ年Ｍ月の月単位カレンダー上の日領域毎に、その日に係る代表画像ファイルのリストがある場合に限り、その縮小画像が表示される。
【００９９】
そして、Ｓ４８がＹｅｓになると、Ｙ年Ｍ月の月単位カレンダー上のＤ日の領域に対応するＶＲＡＭ１０上の領域にカーソル枠を描画し（Ｓ４９）、本フローが終了する。このカーソル枠の描画により、Ｙ年Ｍ月の月単位カレンダー上のＤ日の領域にカーソル枠が表示される。
【０１００】
このように本フローによれば、月単位カレンダー再生モードに変更されたときに、表示対象となる月に係るカレンダー用制御ファイルを検索し、そのカレンダー用制御ファイルに記述されている代表画像ファイルのリストに基づいて、その代表画像ファイルの画像データを読み出すようにしたので、このときに着脱メモリ９に記録されている全ての画像ファイルの中から代表画像ファイルを検索するといった処理が不要となり、結果として、代表画像ファイルの検索に要する時間が大幅に短縮され、日単位に代表画像を表示する月単位カレンダーの表示を高速且つスムーズに行うことができる。
【０１０１】
続いて、この月単位カレンダー再生モードにおいて、下ボタンによるカーソル枠の移動指示が行われた場合のカレンダー再生動作を、図１１を用いて説明する。
図１１は、そのカレンダー再生動作に係るフローチャートである。
【０１０２】
同図に示したように、本動作では、まず、Ｙ年Ｍ月の月単位カレンダーが表示されているときに下ボタンが押下されると、そのＹ年Ｍ月に係るカレンダー用制御ファイルを検索し（Ｓ５１）、そのＹ年Ｍ月に係るカレンダー用制御ファイルに「Ｎｅｘｔ」パラメータが記述されているか否か（Ｓ５２）、すなわち、Ｙ年Ｍ月よりも未来で且つ最古の月に係るカレンダー用制御ファイルのリストが記述されているか否かを判定する。
【０１０３】
Ｓ５２がＹｅｓの場合、続いて、「Ｎｅｘｔ」パラメータとして記述されているカレンダー用制御ファイルのリストを基に、そのカレンダー用制御ファイルを着脱メモリ９から読み出し、そのカレンダー用制御ファイルに係る年と月を取得して年をＹ，月をＭとし（Ｓ５３）、Ｙ年Ｍ月の月単位カレンダーの罫線や日付の数字などをＶＲＡＭ１０に描画する（Ｓ５４）。これにより、Ｙ年Ｍ月に係る月単位カレンダーが内蔵ＬＣＤ１２に表示される（Ｓ５４）。但し、この時には、まだ月単位カレンダー上に画像は表示されていない。
【０１０４】
続くＳ５５乃至Ｓ６０の処理では、上述の図１０に示したＳ４３乃至４８の処理と同様の処理が行われる。
このようにして、ｄの値が１からＹ年Ｍ月の総日数の値まで上述の処理が繰り返されると、Ｙ年Ｍ月の月単位カレンダー上の日領域毎に、その日に係る代表画像ファイルのリストがある場合に限り、その縮小画像が表示される。
【０１０５】
そして、Ｓ６０がＹｅｓになると、Ｙ年Ｍ月に係るカレンダー用制御ファイルに記述されている撮影日が最古の代表画像ファイルのリストに係る日の領域に対応するＶＲＡＭ１０上の領域にカーソル枠を描画し、（Ｓ６１）、本フローが終了する。このカーソル枠の描画により、Ｙ年Ｍ月の月単位カレンダー上で代表画像が表示されている日のうち最古の日の領域にカーソル枠が表示される。
【０１０６】
一方、Ｓ５２がＮｏの場合には、そのまま、本フローを終了する。尚、この場合に、着脱メモリ９に記録されている最古の月に係るカレンダー用制御ファイルに基づいて上述のＳ５４乃至Ｓ６１の処理を行い、その最古の月の月単位カレンダーを表示するようにすることも可能である。
【０１０７】
このように本フローによれば、月単位カレンダー再生モードにおいて下ボタンによるカーソル枠の移動指示が行われると、その指示前に表示されていた月に係るカレンダー用制御ファイルに記述されている「Ｎｅｘｔ」パラメータに基づいて、当該カレンダー用制御ファイルに係る月よりも未来で且つ最古の月に係るカレンダー用制御ファイルを読み出し、そのカレンダー用制御ファイルに基づいてその指示後の月の月単位カレンダーを表示するようにしたので、カーソル枠の移動指示により表示月が変更される場合であっても、日単位に代表画像を表示する月単位カレンダーの表示を高速且つスムーズに行うことができる。
【０１０８】
尚、本フローでは、下ボタンによるカーソル枠の移動指示が行われた場合の動作を説明したが、上ボタンによるカーソル枠の移動指示が行われた場合の動作も同様にして行われるものである。但し、この場合には、上述の「Ｎｅｘｔ」パラメータの代わりに「Ｐｒｅｖ」パラメータを用いて処理が行われ、また、Ｓ６１では、Ｙ年Ｍ月に係るカレンダー用制御ファイルに記述されている撮影日が最新の代表画像ファイルのリストに係る日の領域に対応するＶＲＡＭ１０上の領域にカーソル枠が描画される。
【０１０９】
また、左ボタンによるカーソル枠の移動指示が行われた場合には、その指示前に表示されていた月に係るカレンダー用制御ファイルに、カーソル枠があった日よりも撮影日が過去の代表画像ファイルのリストが記述されているか否かに応じて次のような処理が行われる。すなわち、それが記述されていた場合には、そのカーソル枠があった日よりも撮影日が過去で且つ最新の代表画像ファイルのリストに係る画像ファイルの撮影日の領域にカーソル枠を表示する。或いは、それが記述されていない場合には、更に、その指示前に表示されていた月に係るカレンダー用制御ファイルに「Ｐｒｅｖ」パラメータとしてカレンダー用制御ファイルのリストが記述されている場合に限り、そのカレンダー用制御ファイルを読み出し、そのカレンダー用制御ファイルに記述されている撮影日が最新の代表画像ファイルのリストに係る画像ファイルの撮影日の領域にカーソル枠を表示する。但し、この場合には表示月も変更する必要があるので、「Ｐｒｅｖ」パラメータとして記述されているカレンダー用制御ファイルに係る月について、上述の図１０で説明したＳ４１乃至Ｓ４８の処理を行った上でカーソル枠を表示する。
【０１１０】
同様に、右ボタンによるカーソル枠の移動指示が行われた場合には、その指示前に表示されていた月に係るカレンダー用制御ファイルに、カーソル枠があった日よりも撮影日が未来の代表画像ファイルのリストが記述されているか否かに応じて次のような処理が行われる。すなわち、それが記述されていた場合には、そのカーソル枠があった日よりも撮影日が未来で且つ最古の代表画像ファイルのリストに係る画像ファイルの撮影日の領域にカーソル枠を表示する。或いは、それが記述されていない場合には、更に、その指示前に表示されていた月に係るカレンダー用制御ファイルに「Ｎｅｘｔ」パラメータとしてカレンダー用制御ファイルのリストが記述されている場合に限り、そのカレンダー用制御ファイルを読み出し、そのカレンダー用制御ファイルに記述されている撮影日が最古の代表画像ファイルのリストに係る画像ファイルの撮影日の領域にカーソル枠を表示する。但し、この場合には表示月も変更する必要があるので、「Ｎｅｘｔ」パラメータとして記述されているカレンダー用制御ファイルに係る月について、上述の図１０で説明したＳ４１乃至Ｓ４８の処理を行った上でカーソル枠を表示する。
【０１１１】
次に、ズームＷｉｄｅボタンの押下により月単位カレンダー再生モードから年単位カレンダー再生モードに変更された場合に行われるカレンダー再生動作を、図１２を用いて説明する。
【０１１２】
図１２は、その年単位カレンダー再生モードに変更された場合のカレンダー再生動作に係るフローチャートである。
同図に示したように、本動作では、月単位カレンダー再生モードにおいてＹ年Ｍ月Ｄ日の領域にカーソル枠があるＹ年Ｍ月の月単位カレンダーが表示されているときにズームＷｉｄｅボタンが押下されると、まず、そのカーソル枠があったＹ年Ｍ月Ｄ日の領域に表示されていた画像の撮影日時を含むＹ年の年単位カレンダーの罫線や日付の数字などをＶＲＡＭ１０に描画する（Ｓ７１）。これにより、Ｙ年の年単位カレンダーが内蔵ＬＣＤ１２に表示される。但し、この時には、まだ年単位カレンダー上に画像は表示されていない。
【０１１３】
続いて、ｍを１とし（１→ｍ）（Ｓ７２）、着脱メモリ９において、Ｙ年ｍ月に係るカレンダー用制御ファイルを検索し（Ｓ７３）、そのカレンダー用制御ファイルが存在するか否かを判定する（Ｓ７４）。
【０１１４】
Ｓ７４の判定がＮｏの場合には、ｍをインクリメントして（ｍ＋１→ｍ）（Ｓ８１）、Ｓ７３へ戻り、次の月に係るカレンダー用制御ファイルの検索が行われる。
一方、Ｓ７４の判定がＹｅｓの場合、そのＹ年ｍ月に係るカレンダー用制御ファイルに記述されている撮影日が最古の代表画像ファイルのリスト（パスを含むファイル名：ｆｉｌｅｎａｍｅ）を取得し（Ｓ７５）、その撮影日が最古の代表画像ファイルの画像データを読み出して、その画像データに基づく縮小画像を、Ｙ年の年単位カレンダー上のｍ月の領域に表示する（Ｓ７６）。続いて、そのＹ年ｍ月に係るカレンダー用制御ファイルに、「Ｎｅｘｔ」パラメータが記述されているか否か（Ｓ７７）、すなわち、Ｙ年ｍ月よりも未来で且つ最古の月に係るカレンダー用制御ファイルのリストが記述されているか否かを判定する。
【０１１５】
Ｓ７７がＹｅｓの場合、続いて、「Ｎｅｘｔ」パラメータとして記述されているカレンダー用制御ファイルのリストを基に、そのカレンダー用制御ファイルを読み出し、そのカレンダー用制御ファイルに係る年と月を取得して年をｙ，月をｍとし（Ｓ７８）、Ｙ＝ｙであるか否かを判定する（Ｓ７９）。
【０１１６】
Ｓ７９がＹｅｓの場合にはＳ７５へ戻って、Ｙ年ｍ月に係るカレンダー用制御ファイルについて、上述のＳ７５以降の処理が繰り返される。
一方、Ｓ７９がＮｏの場合、又はＳ７７がＮｏの場合には、Ｓ８０へ進み、Ｙ年の年単位カレンダー上のＭ月の領域に対応するＶＲＡＭ１０上の領域にカーソル枠を描画し、本フローが終了する。このカーソル枠の描画により、Ｙ年の年単位カレンダー上のＭ月の領域にカーソル枠が表示される。
【０１１７】
このように、本フローによれば、年単位カレンダー再生モードに変更されたときに、表示対象となる年に含まれる月に係るカレンダー用制御ファイルを検索し、そのカレンダー用制御ファイル毎に、当該カレンダー用制御ファイルに記述されている撮影日が最古の代表画像ファイルのリストに基づいて、その代表画像ファイルの画像データを読み出すようにしたので、このときに着脱メモリ９に記録されている全ての画像ファイルの中から代表画像ファイルを検索するといった処理が不要となり、結果として、代表画像ファイルの検索に要する時間が大幅に短縮され、月単位に代表画像を表示する年単位カレンダーの表示を高速且つスムーズに行うことができる。
【０１１８】
尚、この年単位カレンダー再生モードにおいて、上ボタンによるカーソル枠の移動指示が行われた場合の動作では、その指示前に表示されていた年に含まれる月に係るカレンダー用制御ファイルの中の最古の月に係るカレンダー用制御ファイルに「Ｐｒｅｖ」パラメータとして記述されているカレンダー用制御ファイルのリストがある場合に限り、そのカレンダー用制御ファイルに係る月を含む年について、上述の図１２で説明したＳ７１乃至Ｓ７９の処理を行い、そのカレンダー用制御ファイルに係る月の領域にカーソル枠を表示するものである。
【０１１９】
同様に、下ボタンによるカーソル枠の移動指示が行われた場合の動作では、その指示前に表示されていた年に含まれる月に係るカレンダー用制御ファイルの中の最新の月に係るカレンダー用制御ファイルに「Ｎｅｘｔ」パラメータとして記述されているカレンダー用制御ファイルのリストがある場合に限り、そのカレンダー用制御ファイルに係る月を含む年について、上述の図１２で説明したＳ７１乃至Ｓ７９の処理を行い、そのカレンダー用制御ファイルに係る月の領域にカーソル枠を表示するものである。
【０１２０】
また、この年単位カレンダー再生モードにおいて、左ボタンによるカーソル枠の移動指示が行われた場合の動作では、その指示前にカーソル枠があった月に係るカレンダー用制御ファイルに「Ｐｒｅｖ」パラメータとしてカレンダー用制御ファイルのリストが記述されている場合に限り、そのカレンダー用制御ファイルに係る月の領域にカーソル枠を表示するものである。但し、その指示前に表示されていた年と指示後に表示される年とが異なる場合には、指示後に表示される年について、上述の図１２で説明したＳ７１乃至Ｓ７９の処理を行った上で、カーソル枠の表示を行うものである。
【０１２１】
同様に、右ボタンによるカーソル枠の移動指示が行われた場合の動作では、その指示前にカーソル枠があった月に係るカレンダー用制御ファイルに「Ｎｅｘｔ」パラメータとしてカレンダー用制御ファイルのリストが記述されている場合に限り、そのカレンダー用制御ファイルに係る月の領域にカーソル枠を表示するものである。但し、その指示前に表示されていた年と指示後に表示される年とが異なる場合には、指示後に表示される年について、上述の図１２で説明したＳ７１乃至Ｓ７９の処理を行った上で、カーソル枠の表示を行うものである。
【０１２２】
このように、本実施例によれば、着脱メモリ９に記録されたカレンダー用制御ファイルに記述されている日単位の代表画像ファイルのリストと、「Ｐｒｅｖ」パラメータ又は及び「Ｎｅｘｔ」パラメータとして記述されているカレンダー用制御ファイルのリストとに基づいて、日単位に一つづつ代表画像を表示する月単位カレンダー表示や、月単位に一つづつ代表画像を表示する年単位カレンダー表示を、高速且つスムーズに行うことができる。
【０１２３】
次に、上述の図６で説明したアルバム登録動作と、上述の図７で説明したカレンダー再生からアルバム再生への切替動作とを、図１３乃至図１５に示すフローチャートを参照しながら更に詳細に説明する。
【０１２４】
図１３は、そのアルバム登録動作を示すフローチャートである。
同図に示したように、本動作では、１コマ再生モードにおいて所望の画像が表示されているときにＯＫボタンが押下されると、まず、着脱メモリ９に記録されているアルバム用制御ファイル毎のアルバム番号及びアルバムタイトルと、「新しくつくる」の項目からなる登録先アルバム選択メニューを表示し、その登録先アルバム選択メニューの中から項目が選択されるまで待機する（Ｓ９１）。
【０１２５】
続いて、その登録先アルバム選択メニューの中から項目が選択されると、選択された項目が「新しくつくる」であるか否かを判定する（Ｓ９２）。
Ｓ９２の判定がＹｅｓの場合、続いて、選択可能なアルバムタイトルの一覧を示すアルバムタイトル選択メニューを表示し、そのアルバムタイトル選択メニューの中から項目が選択されるまで待機する（Ｓ９３）。続いて、そのアルバムタイトル選択メニューの中から項目が選択されると、選択された項目のアルバムタイトルのアルバム用制御ファイルを作成し（Ｓ９４）、このアルバム用制御ファイルのリスト（ファイル名）をａｌｂｕｍとする（Ｓ９５）。
【０１２６】
尚、Ｓ９４で作成されるアルバム用制御ファイルには、アルバム番号（但し、着脱メモリ９に既に記録されているアルバム用制御ファイルのアルバム番号と重複しないアルバム番号）が記述される。
【０１２７】
一方、Ｓ９２の判定がＮｏの場合には、登録先アルバム選択メニューの中から選択された項目のアルバムタイトルのアルバム用制御ファイルのリスト（ファイル名）をａｌｂｕｍとする（Ｓ９６）。
【０１２８】
続いて、Ｓ９５に続くＳ９７では、Ｓ９４で作成されたアルバム用制御ファイルに、登録先アルバム選択メニューを表示したときに表示されていた画像に係る画像ファイルのリスト（パスを含むファイル名：ｆｉｌｅｎａｍｅ）を記述し、当該アルバム用制御ファイルを着脱メモリ９に記録する。
【０１２９】
或いは、Ｓ９６に続くＳ９７では、登録先アルバム選択メニューの中から選択されたアルバムタイトルのアルバム用制御ファイルに、登録先アルバム選択メニューを表示したときに表示されていた画像に係る画像ファイルのリスト（パスを含むファイル名：ｆｉｌｅｎａｍｅ）を記述し、当該アルバム用制御ファイルを更新する。
【０１３０】
Ｓ９７の後、続いて、その画像ファイルの撮影日時を取得し、その撮影年をＹ、その撮影月をＭとする（Ｓ９８）。
続いて、着脱メモリ９に記録されている、ｙ年ｍ月に係るカレンダー用制御ファイルに、「ＡＬＢＵＭ」パラメータとして上記ａｌｂｕｍが記述されているか否かを判定する（Ｓ９９）。
【０１３１】
Ｓ９９の判定がＹｅｓの場合には、そのまま本フローが終了し、Ｎｏの場合には、そのｙ年ｍ月に係るカレンダー用制御ファイルに、「ＡＬＢＵＭ」パラメータとして、上記ａｌｂｕｍを記述し（Ｓ１００）、本フローが終了する。
【０１３２】
図１４は、年単位カレンダーからアルバム再生への切替動作を示すフローチャートである。
同図に示したように、本動作では、カーソルがＭ月の領域にあるＹ年の年単位カレンダーが表示されているときにＯＫボタンが押下されると、まず、Ｙ年Ｍ月に係るカレンダー用制御ファイルを検索し（Ｓ１０１）、そのカレンダー用制御ファイルが存在するか否かを判定する（Ｓ１０２）。
【０１３３】
Ｓ１０２の判定がＹｅｓの場合には、そのＹ年Ｍ月のカレンダー制御ファイルに「ＡＬＢＵＭ」パラメータが記述されているか否かを判定する（Ｓ１０３）。
Ｓ１０３の判定がＹｅｓの場合には、「ＡＬＢＵＭ」パラメータとして記述されているアルバム用制御ファイルのリストに基づいて、そのアルバム用制御ファイルのアルバムタイトルを項目とする再生アルバム選択メニューを表示し、その再生アルバム選択メニューの中から項目が選択されるまで待機する（Ｓ１０４）。Ｓ１０４の後、続いて、その再生アルバム選択メニューの中から項目が選択されたら、その選択された項目のアルバムタイトルのアルバム用制御ファイルに基づいてアルバム再生を行う（Ｓ１０５）。具体的には、そのアルバム用制御ファイルに記述されている画像ファイルのリストに基づいて、その画像の再生を行う。
【０１３４】
一方、Ｓ１０２がＮｏの場合、又はＳ１０３がＮｏの場合には、そのまま本フローが終了する。
図１５は、月単位カレンダーからアルバム再生への切替動作を示すフローチャートである。
【０１３５】
本動作は、Ｙ年Ｍ月の月単位カレンダーが表示されているときにＯＫボタンが押下されると開始するものであるが、処理内容は、図１４に示したものと同じである。すなわち、図１５において、Ｓ１１１乃至Ｓ１１５の処理では、図１４のＳ１０１乃至Ｓ１０５の処理と同様の処理が行われる。
【０１３６】
このように、本実施例によれば、カレンダー上の日単位又は月単位に代表画像を表示する月単位カレンダー又は年単位カレンダーが再生されているときに、そのカレンダー再生を終了させることなく、そのカレンダー再生から、その代表画像が登録されているアルバムの再生への切り替えを容易に行うことができる。
【０１３７】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【０１３８】
【図１】一実施例に係る画像再生装置を備えたデジタルカメラの主要構成を示す図である。
【図２】制御ファイルが記録された着脱メモリのファイル構成例を示す図である。
【図３】アルバム用制御ファイルの記述内容を示す図である。
【図４】カレンダー用制御ファイルの記述内容を示す図である。
【図５】カレンダー再生動作の概要を説明する図である。
【図６】アルバム登録動作の概要を説明する図である。
【図７】カレンダー再生からアルバム再生への切り替えが行われるときの動作の概要を説明する図である。
【図８】撮影により画像ファイルが記録されたときに行われる、カレンダー用制御ファイルの登録に係る動作を示すフローチャートである。
【図９】外部装置からの画像ファイルが記録されたときに行われる、カレンダー用制御ファイルの登録に係る動作を示すフローチャートである。
【図１０】月単位カレンダー再生モードに変更された場合のカレンダー再生動作に係るフローチャートである。
【図１１】月単位カレンダー再生モードにおいて下ボタンによるカーソル枠の移動指示が行われた場合のカレンダー再生動作に係るフローチャートである。
【図１２】年単位カレンダー再生モードに変更された場合のカレンダー再生動作に係るフローチャートである。
【図１３】アルバム登録動作を示すフローチャートである。
【図１４】年単位カレンダーからアルバム再生への切替動作を示すフローチャートである。
【図１５】月単位カレンダーからアルバム再生への切替動作を示すフローチャートである。
【符号の説明】
【０１３９】
１      撮影レンズ系
２      撮像素子
３      撮像回路
４      Ａ／Ｄ部
５      シスコン
６      画像処理部
７      Ｉ／Ｆ
８      カードスロット
９      着脱メモリ
１０    ＶＲＡＭ
１１    ＬＣＤドライバ
１２    内蔵ＬＣＤ
１３    内蔵ＲＡＭ
１４    内蔵ＲＯＭ
１５    操作部
１６    外部Ｉ／Ｆ
１７、１８、１９  画像
２０    カーソル枠
２１    日の領域
２２    カーソル枠を含めた日の領域
２３、２４、２５  画像
２６    カーソル枠を含めた月の領域
２７    画像
２８、２９  登録先アルバム選択メニュー
３０    カーソル
３１    アルバムタイトル選択メニュー
３２    月単位カレンダー
３３    年単位カレンダー
３４    再生アルバム選択メニュー
【図１】
2006245832.tif 000003
【図３】
2006245832.tif 000004
【図４】
2006245832.tif 000005
【図５】
2006245832.tif 000006
【図６】
2006245832.tif 000007
【図７】
2006245832.tif 000008
【図８】
2006245832.tif 000009
【図９】
2006245832.tif 000010
【図１０】
2006245832.tif 000011
【図１１】
2006245832.tif 000012
【図１２】
2006245832.tif 000013
【図１３】
2006245832.tif 000014
【図１４】
2006245832.tif 000015
【図１５】
2006245832.tif 000016
【図２】
2006245832.tif 000017